(57)【要約】【課題】蓋材がないのにゴミ等の侵入を防止でき、床シートとの意匠的な不統一によって違和感を与える懸念も殆どないドレン排水溝材と、このドレン排水溝材を用いたドレン排水構造と、その施工方法を提供する。【解決手段】床シート２０が敷設される床面に設置するドレン排水溝材１０で、凹溝部１ａと、一方の側堤部１ｃに形成された床シート支持面１ｅと、他方の側堤部１ｄの内側面に形成された床シート端縁挿入用の凹条１ｈとを備えた排水溝材とする。床シート２０でドレン排水溝材の一方の側堤部１ｃと凹溝部１ａを被覆し、床シートの端縁２０ａを他方の側堤部１ｄの凹条１ｈに挿入したドレン排水構造とする。凹溝部１ａを覆う床シート２０でゴミ等の侵入を防止する。他方の側堤部１ｄが露出するだけであるから、意匠的に不統一であっても目立たず、違和感を与える懸念が殆どない。【選択図】図１
2009287194.tif 000002
【特許請求の範囲】
【請求項１】
床シートが敷設される床面に設置するドレン排水溝材であって、ドレン水を排水する凹溝部と、該凹溝部の一方の側堤部にその全長に亘って内側から外側に向かって高さが減少するように傾斜して形成された床シート支持面と、該凹溝部の他方の側堤部の内側面にその全長に亘って形成された床シート端縁挿入用の凹条と、を備えていることを特徴とするドレン排水溝材。
【請求項２】
上記他方の側堤部が、床シート端縁を押える堤上部と、床シート端縁を支える堤下部とに二分割されて、堤上部が堤下部に脱着可能に取付けられ、これらの堤上部と堤下部との隙間が上記床シート端縁挿入用の凹条になっていることを特徴とする請求項１に記載のドレン排水溝材。
【請求項３】
上記一方の側堤部の床シート支持面に該側堤部の全長に亘ってコーキング剤の溜まり溝が形成されていることを特徴とする請求項１又は請求項２に記載のドレン排水溝材。
【請求項４】
請求項１ないし請求項３のいずれかに記載されたドレン排水溝材が床面に設置され、ドレン排水溝材の両側の床面に敷設された床シートのうち一方の床シートによってドレン排水溝材の一方の側堤部と凹溝部が被覆されると共に、その一方の床シートの端縁がドレン排水溝材の他方の側堤部の凹条に挿入され、ドレン排水溝材の一方の側堤部と一方の床シートとの重なり部分がコーキング剤で止水されていることを特徴とするドレン排水構造。
【請求項５】
床面に床シートを突き合わせて敷設するか、又は、敷設した床シートを切断し、突き合わせたいずれか一方の床シート又は切断したいずれか一方の床シートの端を所定寸法だけ切除し、いずれか一方の床シートを他方の床シートに隣接する方の端から捲り上げてドレン排水溝材を床面に設置し、捲り上げた床シートを戻してドレン排水溝材を被覆し、その床シートの端縁をドレン排水溝材に脱着可能に取付けることを特徴とするドレン排水構造の施工方法。
【発明の詳細な説明】
【技術分野】
【０００１】
本発明は、床シートで凹溝部を開閉可能に覆うように改良したドレン排水溝材と、このドレン排水溝材を用いたドレン排水構造、並びに、その施工方法に関する。
【背景技術】
【０００２】
近年、集合住宅のバルコニーや廊下などに設置されたエアコン等の室外機から排出されるドレン水によってバルコニーや廊下の床面が濡れるのを防止するために、バルコニーや廊下の床面に出幅方向にドレン排水溝材に設置し、室外機から排出されるドレン水をドレン排水溝材を通じて排水することが多くなってきた。
【０００３】
しかしながら、単にドレン排水溝材をバルコニー等の床面に設置する場合は、ゴミや塵埃がドレン排水溝材に堆積してドレン水の流れが悪くなったり美観が損なわれたりするので、ドレン排水溝材を蓋材で覆うようにしている。その場合、ドレン排水溝材と別体の蓋材でドレン排水溝材を覆うと、強風で蓋材が飛ばされたり、子供の悪戯で蓋材が外されてバルコニーから落下するなどの危険性がある。
【０００４】
そこで、本出願人は、底壁部の両側縁に側壁部を形成した偏平な溝形成部と、この溝形成部に被着される蓋部とからなる床用排水材であって、これら溝形成部と蓋部を一体成形することにより、蓋部の側縁部を溝形成部の一方の側壁部に揺動可能に一体的に取付けた床用排水材を既に提案した（特許文献１）。
【０００５】
この床用排水材のように、蓋部の側縁部が溝形成部の側壁部に揺動可能に一体的に取付けられていると、蓋部が閉じているときはゴミ等が溝形成部に入ることがなく、蓋部を開ければ溝形成部の掃除を簡単に行うことができ、しかも、蓋部が強風で飛ばされたり、子供の悪戯で外されてバルコニーから落下するなどの危険性を解消することができる。
【特許文献１】特開２００８−３８４２７号公報
【発明の開示】
【発明が解決しようとする課題】
【０００６】
しかしながら、従来の別体の蓋材付きのドレン排水溝材や、上記特許文献１のように溝形成部に蓋部を開閉可能に一体成形した床用排水材は、当然のことながら、蓋材のないドレン排水溝材に比べて蓋材を追加する分だけコスト高になるという問題があった。しかも、床シートを敷設したバルコニーや廊下の床面に、従来の蓋材付きのドレン排水溝材や特許文献１の床用排水材を設置すると、これらのドレン排水溝材や床用排水材と床シートとの色、図柄、模様等が異なるため、意匠的な統一、調和を図ることができず、居住者に違和感を与える懸念が多分にあった。意匠的な統一、調和を図るためには、床シートと同一又は調和する色、図柄、模様を有するドレン排水材や蓋材を使用すればよいが、床シートの色、図柄、模様の種類は限りなく多いので、そのようなことは現実には不可能である。
【０００７】
本発明は上記事情の下になされたもので、その解決しようとする課題は、蓋材のない分だけコストを低減でき、蓋材がないのにゴミや塵埃の侵入を防止でき、床シートとの意匠的な不統一、不調和によって違和感を与える懸念も殆どないドレン排水溝材を提供すること、及び、このドレン排水溝材を用いたドレン排水構造を提供すること、並びに、その施工方法を提供することにある。
【課題を解決するための手段】
【０００８】
上記課題を解決するため、本発明に係るドレン排水溝材は、床シートが敷設される床面に設置するドレン排水溝材であって、ドレン水を排水する凹溝部と、該凹溝部の一方の側堤部にその全長に亘って内側から外側に向かって高さが減少するように傾斜して形成された床シート支持面と、該凹溝部の他方の側堤部の内側面にその全長に亘って形成された床シート端縁挿入用の凹条と、を備えていることを特徴とするものである。
【０００９】
本発明のドレン排水溝材においては、他方の側堤部が、床シート端縁を押える堤上部と、床シート端縁を支える堤下部とに二分割されて、堤上部が堤下部に脱着可能に取付けられ、これらの堤上部と堤下部との隙間が上記床シート端縁挿入用の凹条となるように構成してもよい。そして、本発明のドレン排水溝材においては、一方の側堤部の床シート支持面に該側堤部の全長に亘ってコーキング剤の溜まり溝が形成されていることが好ましい。
【００１０】
本発明に係るドレン排水構造は、上記のドレン排水溝材が床面に設置され、ドレン排水溝材の両側の床面に敷設された床シートのうち一方の床シートによってドレン排水溝材の一方の側堤部と凹溝部が被覆されると共に、その一方の床シートの端縁がドレン排水溝材の他方の側堤部の凹条に挿入され、ドレン排水溝材の一方の側堤部と一方の床シートとの重なり部分がコーキング剤で止水されていることを特徴とするものである。
【００１１】
また、本発明に係るドレン排水構造の施工方法は、床面に床シートを突き合わせて敷設するか、又は、敷設した床シートを切断し、突き合わせたいずれか一方の床シート又は切断したいずれか一方の床シートの端を所定寸法だけ切除し、いずれか一方の床シートを他方の床シートに隣接する方の端から捲り上げてドレン排水溝材を床面に設置し、捲り上げた床シートを戻してドレン排水溝材を被覆し、その床シートの端縁をドレン排水溝材に脱着可能に取付けることを特徴とするものである。
【発明の効果】
【００１２】
本発明のドレン排水溝材は、本発明のドレン排水構造のように床面に設置され、ドレン排水溝材の両側の床面に敷設された床シートのうち一方の床シートによってドレン排水溝材の一方の側堤部と凹溝部が被覆されると共に、その一方の床シートの端縁がドレン排水溝材の他方の側堤部の凹条に挿入されて施工されるため、ドレン排水溝材の他方の側堤部が露出するだけとなり、ドレン排水溝材の大部分は床シートで隠蔽されることになる。そのため、ドレン排水溝材と床シートの色、図柄、模様等が異なり、意匠的に不統一、不調和であっても、ドレン排水溝材が殆ど目立たないので、違和感を与える懸念はほぼ解消される。
【００１３】
このドレン排水溝材には蓋材はないが、ドレン排水溝材の凹溝部は一方の床シートで覆われるため、ゴミや塵埃が凹溝部に侵入、堆積してドレン水の流れを阻害することがなく、しかも、床シートの端縁をドレン排水溝材の他方の側堤部の凹条から引き抜いて床シートを捲れば、凹溝部の掃除を簡単に行うことができるので、メンテナンスが容易である。そして、このドレン排水溝材のように蓋材がなければ、当然のことながら、蓋材のない分だけコストダウンを図ることができ、強風や子供の悪戯によって蓋材が飛散、落下する危険性も解消できる。
【００１４】
また、本発明の排水構造は、上記のようにドレン排水溝材を被覆する一方の床シートによって、ゴミや塵埃がドレン排水溝材の凹溝部に侵入、堆積するのを防止でき、床シートを捲れば凹溝部の掃除を簡単に行えるのでメンテナンスが容易であるなどの利点に加えて、ドレン排水溝材の一方の側堤部と一方の床シートとの重なり部分がコーキング剤で止水されているため、ドレン水や雨水等が一方の床シートの裏側へ浸透するのを確実に防止できる利点がある。
【００１５】
そして、本発明の排水構造は、本発明の施工方法によって、作業性よく施工することができる。
【発明を実施するための最良の形態】
【００１６】
以下、図面を参照して本発明の具体的な実施形態を詳述する。
【００１７】
図１は本発明の一実施形態に係るドレン排水溝材の平面図、図２は同ドレン排水溝材の拡大横断面図である。
【００１８】
このドレン排水溝材１０は、熱可塑性樹脂を押出成形して得られる偏平な長尺の排水溝材であって、図１，図２に示すように、ドレン水を排水する浅い凹溝部１ａが、ドレン排水溝材１０の幅方向中央よりやや片側（図１，図２では左側）に偏位して、ドレン排水溝材１０の全長に亘って形成されている。この凹溝部１ａの幅方向中央には、凹溝部１ａを覆う後述の床シート２０を支持する凸条１ｂが凹溝部１ａの全長に亘って形成されており、また、この凹溝部１ａの両側には全長に亘って側堤部１ｃ，１ｄが形成されている。上記凸条１ｂの高さは、一方（図１では左側）の側堤部１ｃよりも少し高く設定されており、後述するように床シート２０で凹溝部１ａを被覆したときに、床シート２０が緩やかなドーム形に凸湾曲するようになっている。尚、凸条１ｂは複数形成してもよい。
【００１９】
一方の側堤部１ｃは、他方（図１では右側）の側堤部１ｄよりも低く且つ幅が狭く形成されており、この側堤部１ｃの上面は、床シート２０を支持する床シート支持面１ｅとなっている。この床シート支持面１ｅは、側堤部１ｃの全長に亘って内側から外側に向かって高さが減少するように傾斜して形成されており、該支持面１ｅの幅方向中央部には、コーキング剤の溜まり溝１ｆが側堤部１ｂの全長に亘って形成されている。この実施形態の床シート支持面１ｅは平坦な傾斜面とされているが、緩やかに凸曲又は凹曲した傾斜面とされていてもよい。また、この側堤部１ｃの先端には面取り部１ｇが設けられ、後述するように、この面取り部１ｇによってコーキング剤溜まりが形成されるようになっている。
【００２０】
他方（図１，図２では右側）の側堤部１ｄは、一方の側堤部１ｃよりも高く且つ幅が広く形成されており、この他方の側堤部１ｄの内側面には、床シート２０の端縁２０ａを挿入するための凹条１ｈが形成されている。この床シート端縁挿入用の凹条１ｈは、他方の側堤部１ｄの内側面の上部（一方の側堤部１ｃの内側面の上端と同じ高さのところ）から、一方の側堤部１ｃの床シート支持面１ｅと同じ傾斜角で床シート支持面１ｅと左右対称に傾斜するように形成されている。そのため、床シート２０を側堤部１ｃの床シート支持面１ｅと凹溝部１ａ中央の凸条１ｂとで支持させて床シート端縁２０ａを凹条１ｈに挿入すると、床シート２０が緩やなドーム形に凸湾曲して凹溝部１ａを覆うことができるようになっており、歩行者が床シート２０を踏んでも、床シート２０が凸条１ｂに支持されて凹まないようになっている。
【００２１】
他方の側堤部１ｄの凹条１ｈより上側部分１ｉは、軟質の合成樹脂で形成してもよく、その場合は上側部分１ｉを捲り上げて床シート端縁２０ａを凹条１ｈに挿入できるので、床シート端縁２０ａの挿入作業を容易に行える利点がある。また、他方の側堤部１ｄから外側へ突設されたフランジ部１ｊの先端面は斜めにカットすることが好ましく、このように斜めにカットすると、もう一方の床シート２１との間にコーキング剤を詰めたり、樹脂溶接したりする作業がし易くなる。
【００２２】
次に、図３を参照しながら、上記のドレン排水溝材を用いたドレン排水構造とその施工方法を説明する。
【００２３】
図３の（ｃ）は上記のドレン排水溝材１０を用いて施工されたドレン排水構造の説明図であって、この排水構造によれば、上記のドレン排水溝材１０がバルコニー等の床面３に接着剤（不図示）で接着されて設置されている。そして、ドレン排水溝材１０の両側の床面３に敷設された床シート２０，２１のうち一方の床シート２０によって、ドレン排水溝材１０の一方の側堤部１ｃと凹溝部１ａが被覆されており、この床シート２０は側堤部１ｃの傾斜した床シート支持面１ｅと凹溝部中央の凸条１ｂとで支持されて緩やかなドーム形状に凸湾曲し、その床シート端縁２０ａがドレン排水溝材１０の他方の側堤部１ｄの凹条１ｈに挿入されている。
【００２４】
また、ドレン排水溝材１０の一方の側堤部１ｃと床シート２０との重なり部分（側堤部１ｃの先端面取り部の外側空間部を含む）にはコーキング剤４が詰められて止水されており、更に、他方の側堤部１ｄに形成されたフランジ１ｊと他方の床シート２１との継目にもコーキング材４が詰められて止水されている。尚、双方の床シート２０，２１の床面３と重なる部分は接着剤（不図示）で接着されている。
【００２５】
上記のようなドレン排水構造は、次の方法によって作業性良く施工される。まず、図３の（ａ）に示すように、互いに突き合わせて床面３に敷設した双方の床シート２０，２１のうち一方の床シート２０の端を所定寸法だけ切除する。このように切除するのは、床面３に設置したドレン排水溝材１０の側堤部１ｄの凹条１ｈに床シート２０の端縁２０ａを挿入したとき、床シート２０が長過ぎて床シート端縁２０ａが凹条１ｈの奥面につっかえ、床シート２０がダブツキを生じないようにするためである。なお、床面に敷設した床シートを途中で切断し二分割し、いずれか一方の床シートの端を所定寸法だけ切除するようにしてもよい。
【００２６】
次いで、図３の（ｂ）に示すように、端を切除した一方の床シート２０を、他方の床シート２１に隣接する方の端から捲り上げ、ドレン排水溝材１０を床面３に接着剤（不図示）で接着して設置する。そして、ドレン排水溝材１０の一方の側堤部１ｃの床シート支持面１ｅ（溜まり溝１ｆより外側の床シート支持面）と先端面取り部１ｇより外側の床面３にコーキング剤４を盛りつけると共に、コーキング剤４より外側の床面３に接着剤５を塗布する。そして、図３の（ｃ）に示すように、捲り上げた床シート２０を戻してドレン排水溝材１０の一方の側堤部１ｃと凹溝部１ａを被覆すると共に、床シート端縁２０ａを他方の側堤部１ｄの凹条１ｈに挿入し、床シート２０と一方の側堤部１ｃとの重なり部分を転圧してコーキング剤４による止水を確実にする。このように転圧しても、過剰のコーキング剤４は溜まり溝１ｆに溜まるので、溜まり溝１ｆを越えて凹溝部１ａへ侵入することはない。最後に、ドレン排水溝材１０の他方の側堤部１ｄと他方の床シート２１との継目をコーキング剤４で詰めるか、又は、樹脂で溶接して止水すると、ドレン排水構造が完成する。なお、この継目の止水は、ドレン排水溝材１０を床面３に設置した後、すぐに行うようにしてもよい。
【００２７】
上記のドレン排水溝材１０を用いて施工されたドレン排水構造は、ドレン排水溝材１０の他方の側堤部１ｄとフランジ部１ｊの上面が露出するだけで、ドレン排水溝材１０の大部分は一方の床シート２０で隠蔽されるため、ドレン排水溝材１０と床シート２０，２１の色、図柄、模様等が異なり、意匠的に不統一、不調和であっても、ドレン排水溝材１０が目立って違和感を与える懸念は殆どない。また、このドレン排水溝材１０には蓋材はないが、上記のようにドレン排水溝材１０の凹溝部１ａは一方の床シート２０で覆われるため、ゴミや塵埃が凹溝部１ａに侵入、堆積してドレン水の流れが阻害されることはなく、しかも、床シート端縁２０ａをドレン排水溝材１０の他方の側堤部１ｄの凹条１ｈから引き抜いて床シート２０を捲れば、凹溝部１ａの掃除を簡単に行うことができるので、メンテナンスが容易である。そして、このドレン排水溝材１０のように蓋材がなければ、当然のことながら、蓋材のない分だけコストダウンを図ることができ、強風や子供の悪戯によって蓋材が飛散、落下する危険性も解消できる。また、ドレン排水溝材１０の一方の側堤部１ｃと床シート２０との重なり部分はコーキング剤４で止水され、他方の側堤部１ｄから突き出すフランジ部１ｊと他方の床シート２１との継目もコーキング剤４等で止水されているため、ドレン水や雨水等が床シート２０，２１の裏側へ浸透するのを確実に防止することができる。
【００２８】
尚、上記のドレン排水溝材１０の凹溝部１ａにドレンホース接続具（不図示）を取付ける場合は、ドレン排水溝材１０の双方の側堤部１ｃ，１ｄの内側面下部に係合凹部（不図示）を形成しておき、この係合凹部にドレンホース接続具の左右の係合突起を係合させて取付けることが望ましい。そして、ドレンホース接続具を取付ける部分は床シート２０を切除して、切除部分からドレンホース接続具を突出させるように施工することが望ましい。
【００２９】
また、ドレン排水溝材１０の一方の側堤部１ｃと床シート２０との重なり部分は、ビス（不図示）を用いて、溜まり溝１ｆより内側（凹溝部１ａ側）の位置で床シート２０を側堤部１ｃにビス止めすることが望ましく、このようにビス止めすると、メンテナンスのために床シート２０を捲り上げたときでも、床シート２０と側堤部１ｃとのコーキング部分が剥がれないので、良好な止水性を維持できる利点がある。
【００３０】
図４は本発明の他の実施形態に係るドレン排水溝材を用いたドレン排水構造の説明図であって、（ａ）は床シートの端縁を堤上部で押える前の状態を示しており、（ｂ）は堤上部を堤下部に取付けて床シートの端縁を押えた状態を示している。
【００３１】
このドレン排水溝材１１は、他方（図４では右側）の側堤部がその全長に亘って、床シート２０の端縁２０ａを押える堤上部１ｋと、床シート端縁２０ａを支える堤下部１ｍとに二分割されている。この堤上部１ｋの下面には２つの脚片１ｎ，１ｎが間隔を開けて平行に形成されており、各脚片１ｎ，１ｎの下端には外側へ丸みをもって膨出する係合膨出部１ｐ，１ｐが形成されている。一方、堤下部１ｍには逆Ｔ字形のアリ溝１ｑが形成されており、このアリ溝１ｑに堤上部１ｋの脚片１ｎ，１ｎを弾性変形させながら上方から押し込むと、脚片１ｎ，１ｎの係合膨出部１ｐ，１ｐがアリ溝１ｑに係合して、堤上部１ｋを強く引き上げなければ堤下部１ｍから外れないように、堤上部１ｋが堤下部１ｍに脱着可能に取付けられるようになっている。そして、これらの堤上部１ｋと堤下部１ｍとの隙間が前述した床シート端縁挿入用の凹条１ｈとなり、この凹条１ｈに床シート２０の端縁２０ａが挟み込まれている。
【００３２】
このドレン排水溝材１１及び該排水溝材を用いたドレン排水構造のその他の構成は、前述したドレン排水溝材１０及び該排水溝材を用いた前述のドレン排水構造のそれらと同様であるので、図４において同一部材に同一符号を付し、重複説明を省略する。
【００３３】
上記のドレン排水溝材１１及び該排水溝材を用いたドレン排水構造は、既述した作用効果に加えて、堤上部１ｋを強く引き上げるだけで堤上部１ｋを簡単に外して床シート２０を捲り上げることができ、堤上部１ｋの脚片１ｎ，１ｎを堤下部１ｍのアリ溝１ｑに押し込むだけで堤上部１ｋを堤下部１ｍに簡単に取付けて床シート端縁２０ａを挟み込むことができるので、ドレン排水溝材１１のメンテナンスを行う際に、床シート２０を捲り上げたりドレン排水溝材１１を被覆したりする作業がし易くなり、メンテナンスの効率が良くなるという効果も得られるようになる。
【図面の簡単な説明】
【００３４】
【図１】本発明の一実施形態に係るドレン排水溝材の平面図である。
【図２】同ドレン排水溝材の拡大横断面図である。
【図３】同ドレン排水溝材を用いた本発明のドレン排水構造とその施工方法の説明図であって、（ａ）は床面に突き合わせて敷設した双方の床シートのうち一方の床シートの端を所定寸法だけ切除したところを示し、（ｂ）は一方の床シートを端から捲り上げてドレン排水溝材を床面に設置したところを示し、（ｃ）は施工が完了したドレン排水構造を示す。
【図４】本発明の他の実施形態に係るドレン排水溝材を用いたドレン排水構造の説明図であって、（ａ）は床シートの端縁を堤上部で押える前の状態を示し、（ｂ）は堤上部を堤下部に取付けて床シートの端縁を押えた状態を示す。
【符号の説明】
【００３５】
１０，１１  ドレン排水溝材
１ａ  凹溝部
１ｂ  凸条
１ｃ  一方の側堤部
１ｄ  他方の側堤部
１ｅ  床シート支持面
１ｆ  コーキング剤の溜まり溝
１ｈ  床シート端縁挿入用の凹条
１ｋ  堤上部
１ｍ  堤下部
２０，２１  床シート
２０ａ  床シート端縁
３    床面
４    コーキング剤
５    接着剤
【図１】
2009287194.tif 000003
【図２】
2009287194.tif 000004
【図３】
2009287194.tif 000005
【図４】
2009287194.tif 000006